(57)【要約】【課題】  使用前は乾燥状態で保管でき、使用時には十分量の水を吸収させた状態で家禽に給与することができる、家禽用飼料を提供すること。【解決手段】  １〜４０重量部の澱粉、１０〜８０重量部の大豆粕、及び１〜３０重量部の油脂を成形した飼料であって、使用前に吸水させて粒子形状を保持したまま給与する家禽用飼料。【選択図】    なし【特許請求の範囲】
【請求項１】
１〜４０重量部の澱粉、１０〜８０重量部の大豆粕、及び１〜３０重量部の油脂を成形した飼料であって、使用前に吸水させて粒子形状を保持したまま給与する家禽用飼料。
【請求項２】
吸水させた成形飼料を収容ボックスの中の密集した雛の足元に給餌しても、雛の足趾に団塊状に付着しないことを特徴とする、請求項１に記載の家禽用飼料。
【請求項３】
１〜４０重量部の澱粉、１０〜８０重量部の大豆粕、及び１〜３０重量部の油脂を配合した組成物を成形して得られるペレット形態の飼料である、請求項１又は２に記載の家禽用飼料。
【請求項４】
油脂が中鎖脂肪酸トリグセリドである、請求項１から３の何れかに記載の家禽用飼料。
【請求項５】
さらに５〜４０重量部の大豆粕以外の吸水成分を含む、請求項１から４の何れかに記載の家禽用飼料。
【請求項６】
大豆粕以外の吸水成分が、脱脂米糠及び／又は豆澱粉である、請求項５に記載の家禽用飼料。
【請求項７】
さらに０．１〜１０重量部の保形成分を含む、請求項１から６の何れかに記載の家禽用飼料。
【請求項８】
保形成分が、小麦グルテンである、請求項１から７の何れかに記載の家禽用飼料。
【請求項９】
生後１週間以内の鶏の雛のための飼料である、請求項１から８の何れかに記載の家禽用飼料。
【請求項１０】
消化管の形成を促進するために用いる、請求項１から９の何れかに記載の家禽用飼料。
【請求項１１】
請求項１から１０の何れかに記載の家禽用飼料を家禽に付与することを含む、家禽の飼育方法。
【請求項１２】
家禽が生後１週間以内の鶏の雛である、請求項１１に記載の飼育方法。
【請求項１３】
家禽用飼料に水を添加してから家禽に付与する、請求項１１又は１２に記載の飼育方法。
【請求項１４】
請求項１から１０の何れかに記載の家禽用飼料を家禽に付与することを含む、家禽の消化管の形成を促進する方法。
【発明の詳細な説明】
【技術分野】
【０００１】
本発明は、鶏の雛などの家禽用の飼料に関するものである。
【背景技術】
【０００２】
孵化場で孵化した雛をブロイラー肥育農場や採卵養鶏の育成場に運ぶ間、雛は、複数体を収容ボックスに入れて管理される。従来、孵化場において、あるいは、孵化場から農場への運送途上において、雛に飼料を給与することはわが国では行われていない。また、孵化場より雛を受け入れた農場において、餌付け初期に、通常の餌付け飼料の上に、吸水した固形飼料を撒いて給与することも行われていない。
【０００３】
米国では、孵化直後から農場に至る間、および農場における餌付け初期に、前項の目的で給与する飼料として、米国特許第５，９７６，５８０号、及び米国特許第５，９２８，６８６号に記載のものが知られており、また、これを製品化したものとしてNovus社が開発したOasisが知られている。Oasisは、水分含量の高いモイストペレット（エクストルーダーで製造した水含有量の高い柔らかな固形飼料）である。また、Oasisは、我国では飼料添加物として許可されていない防黴剤を使用しているほか、我国では許可されていない色素剤を使用しているため、これを我国に輸入して販売することはできない。また、Novus社のOasisを試験的に孵化直後の雛に与えたところ、含水量が十分ないため、雛のそ嚢中に停留して胃まで達せず、十分に機能を発揮できないことが判明した。即ち、Oasisはモイストペレットであるため、保管時に乾燥して含水量が低下してしまうという問題があった。
【発明の開示】
【発明が解決しようとする課題】
【０００４】
本発明は、上記した従来技術の問題点を解消することを解決すべき課題とした。即ち、本発明は、成型したペレット形態の飼料であり、使用前は乾燥状態で保管でき、使用時には十分量の水を吸収させた状態で家禽に給与することができる、家禽用飼料を提供することを解決すべき課題とした。
【課題を解決するための手段】
【０００５】
本発明者らは上記課題を解決するために鋭意検討した結果、澱粉及び大豆粕を含む家禽用飼料において、所定量の油脂を配合することにより、吸水させた際に、糊化した澱粉のためペレットが互いに付着することを防止すると同時に、所定量の大豆粕などの吸水成分を配合することによって吸水性を高めることにより、使用前は乾燥状態で保管し、そして使用前に水を十分に吸収させてから家禽に給与することができる、好適な家禽用飼料を提供できることを見出し、本発明を完成するに至った。
【０００６】
即ち、本発明によれば、１〜４０重量部の澱粉、１０〜８０重量部の大豆粕、及び１〜３０重量部の油脂を成形した飼料であって、使用前に吸水させて粒子形状を保持したまま給与する家禽用飼料が提供される。
【０００７】
好ましくは、本発明の家禽用飼料は、吸水させた成形飼料を収容ボックスの中の密集した雛の足元に給餌しても、雛の足趾に団塊状に付着しないことを特徴とする。
好ましくは、本発明の家禽用飼料は、１〜４０重量部の澱粉、１０〜８０重量部の大豆粕、及び１〜３０重量部の油脂を配合した組成物を成形して得られるペレット形態の飼料である。
【０００８】
好ましくは、油脂は中鎖脂肪酸トリグセリドである。
好ましくは、本発明の家禽用飼料は、さらに５〜４０重量部の大豆粕以外の吸水成分を含む。
好ましくは、大豆粕以外の吸水成分が、脱脂米糠及び／又は豆澱粉である。
好ましくは、本発明の家禽用飼料は、さらに０．１〜１０重量部の保形成分を含む。
好ましくは、保形成分は、小麦グルテンである。
【０００９】
好ましくは、本発明の家禽用飼料は、生後１週間以内の鶏の雛のための飼料である。
好ましくは、本発明の家禽用飼料は、消化管の形成を促進するために用いる。
【００１０】
本発明の別の側面によれば、上記した本発明の家禽用飼料を家禽に付与することを含む、家禽の飼育方法が提供される。
【００１１】
本発明の別の側面によれば、上記した本発明の家禽用飼料を家禽に付与することを含む、家禽の消化管の形成を促進する方法が提供される。
【発明の効果】
【００１２】
本発明の家禽用飼料は、使用前は乾燥状態で安定に保管でき、使用時には、加水により吸水してもペレット同士が互いに付着して団子状となることなく、ペレットをそれぞれ独立して分散した状態で家禽に給与することができる。本発明の飼料は、特には、生後１週間以内の鶏の雛に与えるのに適したものである。
【発明を実施するための最良の形態】
【００１３】
以下、本発明の実施の形態について詳細に説明する。
本発明の家禽用飼料は、１〜４０重量部の澱粉、１０〜８０重量部の大豆粕、及び１〜３０重量部の油脂を成形した飼料であって、使用前に吸水させて粒子形状を保持したまま給与することを特徴とするものであり、好ましくは、好ましくは上記成分を配合した組成物を成形して得られるペレット形態の飼料である。
【００１４】
澱粉としては、コーンスターチ、小麦粉、馬鈴薯澱粉、甘藷澱粉、とうもろこし、マイロ、小麦、タピオカなどを使用することができる。本発明の飼料における澱粉の配合割合は、１〜４０重量部であり、好ましくは、５〜３０重量部である。１重量部未満では必要な栄養量を付与することができず、また４０重量部を超えると、加水時にペレット同士が互いに付着し易くなるため、何れも好ましくない。なお、澱粉成分は、飼料ペレットに保形性を供与する作用をも有している。
【００１５】
大豆粕としては、動物飼料において通常使用されるものを使用することができる。本発明の飼料における大豆粕の配合割合は、１０〜８０重量部であり、好ましくは３０〜８０重量部である。１０重量部未満では必要な栄養量を付与することができず、また十分な吸水効果を達成することができず、また８０重量部を超えると、飼料の栄養バランスを崩すため、何れも好ましくない。
【００１６】
油脂としては、中鎖脂肪酸トリグセリド、大豆油、ナタネ油、紅花油、又はヒマワリ油などを使用することができ、特に好ましくは中鎖脂肪酸トリグセリドを使用することができる。中鎖脂肪酸トリグセリドとしては、炭素数８〜１２の脂肪酸のトリグリセリドを使用することができる。
本発明において、中鎖脂肪酸トリグセリドなどの油脂は、吸水したペレット同士が互いに付着するのを防止するために配合されている。また、中鎖脂肪酸トリグセリドは、脂肪分解酵素の腸管への分泌が不十分な初生雛でも吸収可能な油脂であり、重要なエネルギー源でもある。本発明の飼料における中鎖脂肪酸トリグセリドなどの油脂の配合割合は、１〜３０重量部であり、好ましくは３〜２０重量部である。１重量部未満では接着防止効果が十分に達成できず、また３０重量部を超えると組成物の成形が困難になるため、何れも好ましくない。
【００１７】
大豆粕以外の吸水成分としては、水を吸収できる成分であって、飼料成分として好適なものであれば特に限定されず任意の成分を使用することができる。大豆粕以外の吸水成分の具体例としては、脱脂米糠、豆澱粉、ふすまなどが挙げられ、特に好ましくは、脱脂米糠および豆澱粉である。本発明の飼料における大豆粕以外の吸水成分の配合割合は、５〜４０重量部であり、好ましくは１０〜３０重量部である。５重量部未満では飼料の吸水能が十分に達成できず、また４０重量部を超えると他の栄養成分の配合量が低下するため栄養効率が低下するため、何れも好ましくない。
【００１８】
本発明の家禽用飼料には、さらに所望により、０．１〜１０重量部の保形成分を配合することができる。保形成分は、飼料ペレットに保形性を付与できる成分であって、飼料成分として好適なものであれば特に限定されず任意の成分を使用することができる。保形成分の具体例としては、小麦グルテン、豆澱粉、β−馬鈴薯架橋澱粉などが挙げられ、特に好ましくは小麦グルテンである。
【００１９】
本発明の飼料は、家禽（例えば、鶏（ブロイラー、採卵鶏の両方を含む）、七面鳥、アヒル、ウズラ、カモ、キジまたはガチョウ等）に給与することができるが、好ましくは、鶏の雛に給与することができ、さらに好ましくは生後１週間以内、特に好ましくは生後７２時間以内、最も好ましくは生後４８時間以内の鶏の雛に給与することができる。
【００２０】
また、飼料中に十分な水分が含有されない場合は、摂取された飼料はそ嚢に停滞し、下部に移行しないため、本発明の飼料は、使用前に水を添加して用いることが好ましい。水の添加量は特に限定されないが、乾燥状態の本発明の家禽用飼料の重量に対して、好ましくは１０重量％〜２００重量％の水を添加して使用することができ、さらに好ましくは５０重量％〜１５０重量％の水を添加して使用することができる。
【００２１】
本発明の家禽用飼料は、上記した通りの１〜４０重量部の澱粉、１０〜８０重量部の大豆粕、及び１〜３０重量部の油脂、そして所望により５〜４０重量部の大豆粕以外の吸水成分、及び／又は０．１〜１０重量部の保形成分を配合した組成物を調製し、次いでこの組成物を押出成形してペレットを作製することにより製造することができる。押出成形の条件は特に限定されず、当業者に公知の方法により行うことができる。具体的には、押出成形は、カッタースピード、スクリュー回転数、コンディショナー出口温度、バレル温度、乾燥条件などの諸条件を適宜設定して行うことができる。
【００２２】
上記のようにして得られた本発明の家禽用飼料を鶏の雛に給与した場合、腸管重量を増大させる効果が発揮されることが本発明により実証された。即ち、本発明の家禽用飼料は、腸管などの消化管の形成を促進するために用いることができる。
【００２３】
また、本発明の家禽用飼料を用いる家禽の飼育方法、並びに本発明の家禽用飼料を家禽に付与することによって家禽の消化管の形成を促進する方法も本発明の範囲内に含まれるものとする。
以下の実施例により本発明をさらに具体的に説明するが、本発明は実施例によって限定されるものではない。
【実施例】
【００２４】
実施例１：本発明の飼料（以下、「試作飼料」とも称する）の調製
以下の成分を、以下の組成で、合計量が２５０ｋｇとなるように配合した。
【００２５】
【表１】
2005295814.tif 000002
【００２６】
上記で用いた有機酸混合物は、酪酸を主成分とする有機酸であり、抗菌性を示すとともに、雛腸管表面の絨毛の発達を促進する。脂肪酸混合物は、炭素数６、８、１０の脂肪酸を含み、抗菌性を有する。
【００２７】
上記の配合物を下記条件で押出し成形に供した。
【００２８】
【表２】
2005295814.tif 000003
【００２９】
次いで、ビーカーに乾燥後の飼料（２０ｇ）を入れ、２０ｇの水（１００％加水）を添加して物性を評価した。評価の結果を以下に示す。
【００３０】
【表３】
2005295814.tif 000004
【００３１】
飼料番号Ｎｏ．１は、ベトツキ、粒同士の付着が少なく、保形性は良好で、３０分で芯はなくなった。飼料番号Ｎｏ．２は、ベトツキ、粒同士の付着が少なく、保形性は良好で、３０分で芯はなくなった。飼料番号Ｎｏ．３は、ベトツキ、粒同士の付着が少なく、保形性がやや弱く、３０分で芯はなくなった。
【００３２】
実施例２：生物試験
（１）方法
初生雛としてレイヤー抜き雄５００羽を孵化場より購入し、以下の各々の区につき１００羽ずつ割り当てた。雛輸送用のチックコンテナにチックマット（特開２００３−３３９２６２号公報に記載の雛収容ボックス用の給餌シート）を敷き、仕切り板を設置し、１区画５０羽となるように収容し、１コンテナ当たり１００羽とした。
【００３３】
絶食区（比較例）：体重、腸管重量測定
Ｏａｓｉｓ区（比較例）：体重、腸管重量測定
試作飼料区（本発明）：体重、腸管重量測定
この他に、給餌後の状態を観察するため、２コンテナに２００羽用意し、実施例１の飼料を与えた。
【００３４】
給餌方法としては、Ｏａｓｉｓは重量に対して２０％の水を添加し、実施例１の飼料は重量に対して５０％の水を添加し、それぞれ約１時間含水させた後、雛１羽当たり含水させた飼料が約２〜３ｇになるように、チックマットの上に撒いて給餌した。対照として絶食区を設けた。雛は十分な照度下で２４時間放置した。
【００３５】
試験開始時に雛２０羽をクロロホルムで安楽死させた後、体重測定を行い、対応する雛の腸管（十二指腸から総排泄口まで）の重量を測定した。試験開始２４時間後、各区全羽数の生体重測定し、更に各区より２０羽をランダムに選び、同様に処置して個体重および腸管重量を測定した。
【００３６】
（２）結果
開始時の体重、腸管重量。及び腸管の相対重量（体重１００ｇに対する重量）を以下に示す。
【００３７】
【表４】
2005295814.tif 000005
【００３８】
２４時間後の生体重を以下に示す。また、体重の変化を図１に示す。開始時から２４時間後には、絶食あるいは給餌に係わりなく体重が減少し、各区とも開始時の９１〜９２％となった。
【００３９】
【表５】
2005295814.tif 000006
【００４０】
２４時間後の腸管重量及び腸管の相対重量を以下に示す。また、腸管重量の変化を図２に示し、腸管の相対重量の変化を図３に示す。腸管の実重量は２４時間絶食後であっても、若干の増加を示した。実重量の増加は、次いで、Ｏａｓｉｓ区、試作飼料区の順に増大していった。また、腸管重量の相対重量の変化は、実重量の変化とほぼ同一であった。
【００４１】
【表６】
2005295814.tif 000007
【図面の簡単な説明】
【００４２】
【図１】図１は、各種飼料を雛に給与した場合の体重の変化を示す。
【図２】図２は、各種飼料を雛に給与した場合の腸管重量の変化を示す。
【図３】図３は、各種飼料を雛に給与した場合の腸管の相対重量の変化を示す。
【図１】
2005295814.tif 000008
【図２】
2005295814.tif 000009
【図３】
2005295814.tif 000010